(57)【要約】【課題】一部の構造を変えるだけで、通気性に優れたベッドにしたり、リクライニング可能なベッドにしたりできる、利便性の高いベッド構造物とこれを用いたベッドを提供する。【解決手段】ヘッドボードと、これに接続されボトム受け桟を取り付けたサイドフレームと、後端側に位置するフットボードと、これらに囲まれた外部フレーム６と、ベッド用マットレスを載置可能なボトム７とを有する。外部フレーム６に異なるタイプのボトム７を、互換性をもって装着可能になっているベッド構造物。【選択図】図２
0003108600.tif 000002
【実用新案登録請求の範囲】
【請求項１】
ヘッドボードと、これに接続されボトム受け桟を取り付けたサイドフレームと、後端側に位置するフットボードと、これらに囲まれた外部フレームと、ベッド用マットレスを載置可能なボトムとを有するベッド構造物において、前記外部フレームに異なるタイプのボトムを互換性をもって装着可能になっていることを特徴とするベッド構造物。
【請求項２】
前記異なるタイプのボトムが、スラットボトム、リクライニング機能を備えた電動スラットボトム、スノコタイプボトムである請求項１のベッド構造物。
【請求項３】
前記ベッド用マットレスがラテックスゴム製である請求項１又は２のベッド構造物。
【請求項４】
前記スノコタイプボトムが桐材製である請求項２又は３のベッド構造物。
【請求項５】
請求項１〜４のいずれか１項に記載のベッド構造物と、ベッド用マットレスとを備えたベッド。
【考案の詳細な説明】
【技術分野】
【０００１】
本考案はベッド構造物とこれを用いたベッドに関し、詳しくは、ヘッドボードと、これに接続されボトム受け桟を取り付けたサイドフレームと、後端側に位置するフットボードと、これらに囲まれた外部フレームと、ベッド用マットレスを載置可能なボトムとを有するベッド構造物とこれを用いたベッドに関する。
【背景技術】
【０００２】
ベッドは、就寝時に自然な寝姿勢を保持可能な構造が要求される。したがって、柔軟性の全くない板材からなるものであっても、また、ハンモックのように寝姿勢に対して体重の変化に全て依存する形式のものであっても、自然な寝姿勢を確保することはできない。つまり、寝る人の個々の体形や体重などに対しても、柔軟に対応できる弾力性とクッション性を有することが必要であり、そのため、種々の構造のものが開発されてきた。
【０００３】
更に、近時の強い健康指向や高齢者人口の増加に伴う更なる利便性の追求などにより、一層機能的なベッドに対する要求も強いものがある。例えば、湿度の高い日本の気候に対処すべく通気性に優れたマットレスをボトム上に配置したり、マットレスの裏面側に電動装置を備えて、頭部側あるいは脚部の膝関節箇所を持ち上げるようにしたりするリクライニング式のベッド（いわゆる電動ボトムタイプ）が開発されている。
【考案の開示】
【考案が解決しようとする課題】
【０００４】
しかしながら、上記従来技術のベッドでは、利用者の要求が変わった場合、あるいは利用者を変える場合などに容易に転用できず、その都度新たに購入する必要があり、より利用価値の高いベッドに対する要請は強いものがあった。
【０００５】
そこで、本考案の目的は、上記従来技術の有する問題点に鑑みて、夫々のボトムのサイズを共通にすることで、通気性に優れたベッドにしたり、リクライニング可能なベッドにしたりできる、利便性の高いベッド構造物とこれを用いたベッドを提供することにある。
【課題を解決するための手段】
【０００６】
上記課題は、請求項記載の考案により達成される。すなわち、本考案に係るベッド構造物の特徴構成は、ヘッドボードと、これに接続されボトム受け桟を取り付けたサイドフレームと、後端側に位置するフットボードと、これらに囲まれた外部フレームと、ベッド用マットレスを載置可能なボトムとを有していて、前記外部フレームに異なるタイプのボトムを互換性をもって装着可能になっていることにある。
【０００７】
この構成によれば、種々の異なるタイプのボトムを選択して装着可能になるので、利用者の好みや要求が変わる場合でも、ボトムを取り替えるだけで容易に仕様を変更でき、種々のタイプのベッドを購入する必要がないため、費用が少なくて済み、利用価値の高いベッドに対する要請を満たすことができる。
【０００８】
その結果、夫々のボトムのサイズを共通にすることで、通気性に優れたベッドにしたり、リクライニング可能なベッドにしたりできる、利便性の高いベッド構造物を提供することができた。
【０００９】
前記異なるタイプのボトムが、スラットボトム、リクライニング機能を備えた電動スラットボトム、スノコタイプボトムであることが好ましい。
【００１０】
この構成によれば、近時の強い健康指向や高齢者人口の増加に伴う更なる利便性の追求など、一層機能的なベッドに対する要求を十分に満たすことができる。
【００１１】
前記ベッド用マットレスがラテックスゴム製であることが好ましい。
【００１２】
この構成によれば、従来のスプリング式マットレスに比べて、就寝時に就寝者の体形に沿った変形と適度な弾力性を発揮できる。特に、電動ボトムの場合、板材の動きに合わせてラテックスゴム製マットレスが確実に追随できて好都合である。
【００１３】
前記スノコタイプボトムが桐材製であることが好ましい。
【００１４】
この構成によれば、通気性に優れると共に、軽量であって取り扱い易い。
【００１５】
また、本考案に係るベッドの特徴構成は、請求項１〜４のいずれか１項に記載のベッド構造物と、ベッド用マットレスとを備えたことにある。
【００１６】
この構成によれば、夫々のボトムのサイズを共通にすることで、通気性に優れたベッドにしたり、リクライニング可能なベッドにしたりできる、利便性の高いベッドを提供することができる。
【考案を実施するための最良の形態】
【００１７】
本考案の実施形態を、図面を参照して詳細に説明する。図１は、本実施形態に係るベッド構造物を用いたベッドＢを示す。このベッドＢは、前端（頭部）側に位置するヘッドボード１と、これに一体的に接続されるサイドフレーム２と、後端（脚部）側に位置するフットボード３と、フットボード３の左右端部とヘッドボード１の左右端部とに接続される脚部４とを有していて、サイドフレーム２の上部にはベッド用マットレス５が載置されるようになっている。
【００１８】
サイドフレーム２に囲まれた内側には、図２に示すように、底部を構成する外部フレーム６と、その上に配置されるボトムの１種である電動スラットボトム７とが、挿入されるようになっている。
【００１９】
電動スラットボトム７は、ベッドの左右幅方向に向けて幾分上方に凸となるアーチ状に差し渡された多数の板材（スラット。合板などからなる小幅材）７ａが、側枠７ｂに固定されて構成されており、これら板材７ａはそれ自体で弾力性を発揮する板バネの作用をなし、上部に載置されるマットレスと協働して、就寝者の体重や体形に対応した弾力特性を発揮し、自然な就寝姿勢を実現するものとなる。しかも、板材７ａの間から空気の流通があり、フラットな板材のみからなるボトム構造のベッドに比べて通気性に優れ、快適な就寝を確保できる。
【００２０】
板材７ａは、頭部側から脚部側に向けて数本毎に側枠７ｂに、隣接する側枠７ｂ及びこれに固着されている板材７ａ群どうしが互いに上方に向けて回転可能に、ヒンジ部材７ｃが取り付けられて固着されている。もっとも、脚部に位置する後端の板材７ａ群のみは、下方へ回転可能にヒンジ部材７ｃが取り付けられている。
【００２１】
電動スラットボトム７を構成する板材７ａのサイズ、本数、材質などは、ベッドの形式、例えばシングル用、ダブル用、あるいは大人用、子供用などによって種々変更可能である。板材７ａの左右端部には、ゴム製などからなるクッション材を、板材７ａ端部を被覆するように装着されているが、これは、弾力性が一層高められて好ましいからである。
【００２２】
外部フレーム６は、電動スラットボトム７を載置するため、図３に示すような断面構造をしている。すなわち、側部６ａの上部近傍にボトム受け桟６ｂが、側部６ａの内側周囲に沿って一体的に取り付けられており、このボトム受け桟６ｂの上面に電動スラットボトム７が載置可能になっている。そして、外部フレーム６のボトム受け桟６ｂに、図２に示すような電動スラットボトム７の他、後述するスノコ型ボトムなど各種のボトムを載置することによって互換性を持たせて、利用者がベッドを種々に選択できるようにすることができる。
【００２３】
更に、電動スラットボトム７の下部には、図４（裏面側から見た構造を表す）に示すように、脚部の膝関節箇所と頭部の板材７ａ群を立ち上げ可能な電動駆動機構８が設けられている。この電動駆動機構８は、脚部の膝関節箇所と頭部の板材７ａ群の一方または双方を水平位置から立ち上げる機能を有する２つの電動モータ（図示略）とアクチュエーター（図示略）を内蔵していて、前後２本の回動軸９と回動駆動可能に係合している。２本の回動軸９は、板材７ａの下方に配置されていて、スラットボトムの幅方向左右の側枠７ｂ間に前後移動可能に差し渡されている。
【００２４】
回動軸９が回転駆動されると共にアクチュエーターが作動して、図５に示されているように、回動軸９に軸支されたストローク片１０が前後方向に繰り出されると共に、ストローク片１０の一端部に軸支されたアーム１１と共に仮想線に示すように立ち上げられ、頭部側板材７ａ群が持ち上げられる。もとより、これらの一連の動作は、図示はしないが、制御スイッチあるいはリモートコントローラーにより適宜操作され、所定位置にて停止あるいは駆動可能になっていて、動きや停止位置に対する微調整も可能である。このようにして、電動駆動機構によれば、リクライニング可能となり、ベッドにて読書したり、テレビ画像を鑑賞したりすること等ができる。
【００２５】
マットレス５の材質は、特に限定されるものではないが、ラテックスゴム製のものであると、従来のスプリング式マットレスに比べて、就寝時に就寝者の体形に沿った変形と適度な弾力性を発揮するため、好ましい。特に、本実施形態のように、スラットボトムに脚部の膝関節箇所と頭部の板材７ａ群を立ち上げる電動駆動機構８を利用する場合、板材の動きに合わせてラテックスゴム製マットレスが確実に追随できて好都合である。
〔別実施の形態〕
（１）上記実施形態では、リクライニング機能を備えたスラットボトムを用いた電動ボトムの例を示したが、これに代えて、図６に示すように、前後に２分割されたスノコ型ボトム１２を用いてもよい。これについても、上記外部フレーム６にそのまま載置することができる。
【００２６】
すなわち、このスノコ型ボトム１２は、木製の縦桟１２ａに掛け渡された多数の木製の横桟１２ｂが装着されて構成されており、横桟１２ｂどうしが所定間隔を空けて通気空間を形成しているため、通気性が良好であり、夏期のような高温多湿の季節においても、かびの発生などを効果的に防止して、快適な就寝状態を確保できる。また、スノコとして桐材を使用すると、軽量であるため、取り扱い易く好ましい。
（２）上記実施形態では、電動ボトムタイプのベッド構造物の例を示したが、リクライニング機能は必ずしも必要ではなく、スラットボトムのみのベッド構造物であってもよい。
【図面の簡単な説明】
【００２７】
【図１】本考案の一実施形態に係るベッドの概略斜視図
【図２】外部フレームの上に電動スラットボトムを配置する状態を説明する平面図
【図３】外部フレームの上に電動スラットボトムを配置する状態を説明する断面図
【図４】裏面側から見た電動駆動機構の配置を説明する斜視図
【図５】電動駆動機構の動作を説明する図
【図６】別実施形態に係るベッド構造物を説明する図２と類似の平面図
【符号の説明】
【００２８】
１          ヘッドボード
２          サイドフレーム
３          フットボード
５          ベッド用マットレス
６          外部フレーム
７，１２    ボトム
【図１】
0003108600.tif 000003
【図２】
0003108600.tif 000004
【図３】
0003108600.tif 000005
【図４】
0003108600.tif 000006
【図５】
0003108600.tif 000007
【図６】
0003108600.tif 000008